(57)【要約】【課題】別途容器を設ける必要がなく部品点数が少なく外観に優れると共に、先端収納部が本体側部から内部へ水平方向に形成されているので、埃やゴミの侵入を防ぎ吐出先端部を汚すことがなく、また液体吐出管内の残液が漏れ出ることがない安全性や使用性に優れた液体ポンプを提供することを目的とする。【解決手段】本考案の液体ポンプは、液体容器Ｘの口部Ｙに直付けされる本体２と、本体２の下部に延設され口部Ｙから液体容器Ｘの内部に挿入される液体汲み上げ管３と、本体２に延設され本体２を介して液体汲み上げ管３と連通する液体吐出管５と、液体吐出管５の先端部に配設され液面を検知する液面センサ部９を有する吐出管先端部６と、を備えた直付け式の液体ポンプ１であって、本体２の側部から内部へ水平方向に形成され吐出管先端部６が挿入され収納される先端収納部１０を備えた構成を有している。【選択図】　図１
0003097757.tif 000002
【実用新案登録請求の範囲】
【請求項１】
液体容器の口部に直付けされる本体と、前記本体の下部に延設され前記口部から前記液体容器の内部に挿入される液体汲み上げ管と、前記本体に延設され前記本体を介して前記液体汲み上げ管と連通する液体吐出管と、前記液体吐出管の先端部に配設され液面を検知する液面センサ部を有する吐出管先端部と、を備えた直付け式の液体ポンプであって、
前記本体の側部から内部へ水平方向に形成され前記吐出管先端部が挿入され収納される先端収納部を備えていることを特徴とする液体ポンプ。
【請求項２】
前記先端収納部の内部に脱着自在に装着される残液受け体を備えていることを特徴とする請求項１に記載の液体ポンプ。
【請求項３】
前記残液受け体が、前記先端収納部の底面上に配設される受け皿部と、前記受け皿部の一端部に立設された蓋部と、を備えていることを特徴とする請求項２に記載の液体ポンプ。
【請求項４】
前記先端収納部の内周壁に前記残液受け体の挿入方向に亘って形成され前記残液受け体を摺動自在に支持するガイド部を備えていることを特徴とする請求項１乃至３の内いずれか１項に記載の液体ポンプ。
【請求項５】
前記先端収納部の開口部の縁部に形設され前記吐出管先端部に設けられた鉤状部が掛止される掛止部を備えていることを特徴とする請求項１乃至４の内いずれか１項に記載の液体ポンプ。
【請求項６】
前記先端収納部が複数形成されていることを特徴とする請求項１乃至５の内いずれか１項に記載の液体ポンプ。
【請求項７】
前記先端収納部が前記本体の側面から反対側の側面へ貫通して形成され、貫通した前記先端収納部の両端に前記吐出管先端部が挿入される開口部が形成されていることを特徴とする請求項１乃至６の内いずれか１項に記載の液体ポンプ。
【考案の詳細な説明】
【０００１】
【考案の属する技術分野】
本考案は、液体容器の口部に直付けされ、内蔵された乾電池等により駆動され該液体容器から移送先容器へ液体を移送する液体ポンプに関するものである。
【０００２】
【従来の技術】
従来、灯油等の液体を液体容器から移送先容器へ移送する液体ポンプは、液体容器内に挿入される液体汲み上げ管の先端等に設けられたモータで駆動される羽根車の回転によって液体容器内部の液体を吸入し、液体汲み上げ管に本体を介して連通された液体吐出管から移送先容器へと液体を吐出するように構成されている。近年、このような液体ポンプとして、本体が液体容器の口部に固定された、いわゆる直付け式の液体ポンプが開発されている。直付け式の液体ポンプは、液体の移送を行わない場合、本体から延設された液体吐出管の吐出管先端部を所定の位置に掛止等して固定するか或いは収納する必要がある。これは、液体吐出管の先端の吐出管先端部に付着した灯油等の液体により該吐出管先端部に埃やゴミが付着し易く、埃やゴミが付着したまま移送先容器の口部へ吐出管先端部を挿入するとその埃やゴミが移送先容器の液体中に混入する可能性があり、好ましくないためである。また、吐出管先端部を所定の位置に固定又は収納しないと、液体の移送後に液体吐出管内に残留した液体が吐出管先端部から吐出され床を汚す等の不具合が生じ好ましくない。
このような不具合を解決するために、直付け式の液体ポンプにおいて、吐出管先端部を掛止又は収納する構造を有するものが多数開発されている。例えば、液体容器の口部に取り付けた本体の側部にフックを設け、該フックに吐出管先端部を掛止するもの、本体の側部や液体容器の口部に固定又は掛止されるカップ保持体と、該カップ保持体に脱着自在に保持されるカップを有し、該カップに吐出管先端部を上方から挿入して収納するもの等がある。また、本体に上部等に上方に開口した液滴受け容器取付部を形設し、該液滴受け容器に液滴受け容器を脱着自在に取り付けたものが特許文献１に開示されている。
【０００３】
【特許文献１】
登録実用新案第３００７３５３号公報
【０００４】
【考案が解決しようとする課題】
しかしながら、上記従来の技術では、以下の課題を有していた。
（１）本体の側部や液体容器の口部、或いは本体の内部に上方に開口したカップや液滴受け容器を取り付けており、カップや液滴受け容器の開口部が上方に開口して取り付けられると共に吐出管先端部を挿入し易いように上方に拡がっているので、開口部から埃やゴミが侵入し易く、挿入した吐出管先端部に埃やゴミが付着しその埃やゴミが移送先容器の液体中に混入して、例えば該液体を燃料として使用する機器においてフィルタの目詰まり等が発生し易くなり頻繁にフィルタの清掃等を行わなければならず使用性に欠けるという課題を有していた。
（２）カップや液滴受け容器が上方に開口しており、吐出管先端部を上方から下向きに挿入するため、液体吐出管内の残液が吐出管先端部から漏れ出ることがありカップや液滴受け容器内がすぐに液体で充たされ、溢れ出して床等を汚し火災の虞があり安全性に欠け、或いは頻繁に液体の廃棄作業を行わなければならず作業が煩雑で使用性に欠けるという課題を有していた。
（３）カップや液滴受け容器の開口部が吐出管先端部を挿入し易いように上方に拡がって形成されているので、吐出管先端部を挿入した状態であっても溜まった灯油等の残液の臭いが漏れ出ることがあり不快であると共に不健康であるという課題を有していた。
【０００５】
本考案は上記従来の課題を解決するもので、本体内部に吐出管先端部を収納する先端収納部を備えているので、別途容器を設ける必要がなく部品点数が少なく外観に優れると共に、先端収納部が本体側部から内部へ水平方向に形成されているので、埃やゴミの侵入を防ぎ吐出管先端部を汚すことがなく、また液体吐出管内の残液が漏れ出ることがない安全性や使用性に優れた液体ポンプを提供することを目的とする。
【０００６】
【課題を解決するための手段】
上記従来の課題を解決するために本考案の液体ポンプは、以下の構成を有している。
本考案の請求項１に記載の液体ポンプは、液体容器の口部に直付けされる本体と、前記本体の下部に延設され前記口部から前記液体容器の内部に挿入される液体汲み上げ管と、前記本体に延設され前記本体を介して前記液体汲み上げ管と連通する液体吐出管と、前記液体吐出管の先端部に配設され液面を検知する液面センサ部を有する吐出管先端部と、を備えた直付け式の液体ポンプであって、前記本体の側部から内部へ水平方向に形成され前記吐出管先端部が挿入され収納される先端収納部を備えた構成を有している。
この構成により、以下のような作用を有する。
（１）液体を移送した後、移送先容器の口部から外した吐出管先端部を本体の側部に開口された開口部から先端収納部に挿入し収納することができるので、吐出管先端部への埃やゴミの付着を防止できると共に吐出管先端部に設けられた液面センサ部を保護することができる。
（２）先端収納部を本体の内部に形成しているので、本体の外部に吐出管先端部を受け入れる容器等を設ける必要がなく、部品点数を低減させることができると共に外観を向上させることができる。
（３）先端収納部が本体の側部から内部へ水平方向に形成されているので、先端収納部内へ空気中を浮遊する埃やゴミが侵入し難く、吐出管先端部に埃やゴミが付着することを防止できる。
（４）吐出管先端部を移送先容器の口部から抜き、先端を開口部に向け、そのまま水平方向に延びる先端収納部に挿入して収納することができるので、先端収納部への吐出管先端部の装着作業をスムーズに行うことができる。
（５）先端収納部が本体の側部から内部へ水平方向に形成されているので、挿入時に吐出管先端部を下に向けることがなく、液体吐出管や吐出管先端部の内部の管壁に付着した液体が吐出管先端部から漏れ出ることがない。残留した残液が流れ出ることがないので、漏れ出た液体で床等を汚すことがなく安全性や使用性に優れる。
（６）先端収納部が本体側部から内部へ水平方向に形成されているので、吐出管先端部を先端収納部に挿入した状態で掛止部等を設けなくても抜け落ち難く、確実に収納することができる。
【０００７】
ここで、先端収納部は吐出管先端部が隙間なく挿入される大きさ及び形状に形成されることが好ましいが、少なくとも、先端収納部の内周壁に吐出管先端部の外周壁の両側部や上下部等が接触する大きさ及び形状に形成することが好ましい。これにより、接触部分の摩擦力で吐出管先端部が先端収納部から簡単に抜け落ちないようにすることができる。また、吐出管先端部が隙間なく挿入されることにより、先端収納部の内部への埃やゴミを侵入を防ぐことができると共に、吐出管先端部に付着した灯油等の液体の臭いが外部に漏れることを防ぐことができる。なお、吐出管先端部の下部側に残液受け体を挿入する場合は、先端収納部は残液受け体を挿入した状態で吐出管先端部が隙間なく、或いは両側部や上下部等が接触して挿入される大きさ及び形状に形成されることが好ましい。
また、先端収納部としては、本体の側面から内部へ水平方向に延びる孔状に形成されたもの等が用いられる。先端収納部は水平方向であれば本体の側面に対して直角に形成してもよく、或いは本体の側面から水平方向に所定角度傾けて形成してもよい。傾けて形成した場合は、本体の側面からの吐出管先端部の突出長さを小さくすることができ、本体の幅を小さくスリムに形成することができる。また、先端収納部を本体に複数設けてもよく、或いは先端収納部を本体の側面から反対側の側面に貫通して形成してもよい。
【０００８】
本考案の請求項２に記載の液体ポンプは、請求項１に記載の液体ポンプであって、前記先端収納部の内部に脱着自在に装着される残液受け体を備えた構成を有している。
この構成により、請求項１の作用に加え、以下のような作用を有する。
（１）残液受け体により吐出管先端部の外周壁や内周壁に付着した液体や吐出管先端部から漏れ出る残液等を受けることができるので、残液等が先端収納部から漏れ出て液体容器の外壁や床等を汚すことを防止できる。
（２）残液受け体が脱着自在に先端収納部の内部に装着されるので、溜まった残液を容易に廃棄したり液体容器に戻したりできると共に、残液受け体や先端収納部内部の清掃を容易に行うことができる。
【０００９】
残液受け体としては、長尺状の樋状等に形成され先端収納部の底面上に配設される受け皿部を有するものや、該受け皿部の一端部に立設された蓋部を有するもの等が用いられる。蓋部としては、吐出管先端部が挿入される開口を有するＵ字形状やリング状等に形成されたもの、或いは先端収納部の開口部を覆う板状のもの等が用いられる。
【００１０】
本考案の請求項３に記載の液体ポンプは、請求項２に記載の液体ポンプであって、前記残液受け体が、前記先端収納部の底面上に配設される受け皿部と、前記受け皿部の一端部に立設された蓋部と、を備えた構成を有している。
この構成により、請求項２の作用に加え、以下のような作用を有する。
（１）受け皿部により吐出管先端部の外周壁や内周壁に付着した液体や吐出管先端部から漏れ出る残液等を確実受けて回収することができる。
（２）蓋部をＵ字形状やリング状等に形成することにより、まず先端収納部の開口部に残液受け体の受け皿部を挿入し、蓋部を開口部の縁部に当接させ、次に残液受け体のＵ字形状やリング状等の蓋部の開口から吐出管先端部を挿入し先端収納部に挿入して収納することができる。この場合、先端収納部の開口部における吐出管先端部と先端収納部との隙間を蓋部により塞ぐことができるので、該隙間から先端収納部の内部に埃やゴミが侵入することを防止できる。
（３）先端収納部を本体の側面から反対側の側面に貫通して形成した場合は、開口部が先端収納部の両端部に形成される。この場合、先端収納部の一端部の開口部から開口部を覆う板状の蓋部を有する残液受け部の受け皿部を挿入し、他端部の開口部から吐出管先端部を挿入することで、蓋部により一端部の開口部が覆われるので、先端収納部の内部に埃やゴミが侵入することを防止できる。
（４）蓋部を有することにより、残液受け体を脱着する場合に蓋部を摘んで抜き取ったり挿入したりすることができる。
【００１１】
ここで、受け皿部の上面は一端部から他端部へ向かって下方に傾斜して形成されることが好ましい。これにより、受け皿部の他端部に残液が溜まる液溜まり部を形成することができ、残液を受け皿部の端部に溜めることができる。なお、受け皿部の上面は吐出管先端部が挿入される側の端部から反対側の端部に向かって下方に傾斜して形成されることが好ましい。また、この場合、先端収納部の吐出管先端部の先端側に空間が形成されるように先端収納部の奥行き方向の長さを吐出管先端部の挿入部分の長さより長く形成することが好ましい。これにより、吐出管先端部が残液に浸ることがなく、溜まった残液が再び吐出管先端部の外壁等に付着することを防止できる。
【００１２】
本考案の請求項４に記載の液体ポンプは、請求項１乃至３の内いずれか１項に記載の液体ポンプであって、前記先端収納部の内周壁に前記残液受け体の挿入方向に亘って形成され前記残液受け体を摺動自在に支持するガイド部を備えた構成を有している。
この構成により、請求項１乃至３の内いずれか１項の作用に加え、以下のような作用を有する。
（１）残液受け体に溜まった残液を廃棄する際等に、残液受け体を先端収納部から抜き取る場合や残液受け体を挿入する場合に残液受け体をガイド部に沿って摺動させ脱着することができるので、溜まった残液を溢すことなく脱着作業をスムーズに行うことができる。また、残液受け体をガイド部に沿って吐出管先端部の直下等の正しい位置に挿入することができるので、位置がずれることなく正確に取り付けることができる。
（２）吐出管先端部を先端収納部に挿入或いは抜き取る際に、残液受け体が吐出管先端部の移動に連れて傾いたり外れたりすることを防ぎ、溜まった残液を溢すことがなく使用性に優れる。
【００１３】
ガイド部としては、先端収納部の内周壁の底壁や側壁に残液受け体の挿入方向に亘って延びる凹状の溝や凸状のレール等が用いられる。残液受け体の受け皿部の下部や側部には、凹状の溝や凸状のレール等からなるガイド部に嵌合する凸状部又は凹状部が残液受け体の長手方向に亘って形設されることが好ましい。なお、残液受け体の受け皿部をガイド部の形状に沿った断面形状、例えば最下部が下方に突出した断面形状に形成した場合は凸状部や凹状部を設ける必要はない。
【００１４】
本考案の請求項５に記載の液体ポンプは、請求項１乃至４の内いずれか１項に記載の液体ポンプであって、前記先端収納部の開口部の縁部に形設され前記吐出管先端部に設けられた鉤状部が掛止される掛止部を備えた構成を有している。
この構成により、請求項１乃至４の内いずれか１項の作用に加え、以下のような作用を有する。
（１）吐出管先端部を先端収納部に挿入し鉤状部を掛止部に掛止することにより吐出管先端部を先端収納部に挿入した状態で固定することができ、吐出管先端部の抜け落ちを防止できる。
【００１５】
ここで鉤状部としては、吐出管先端部を移送先容器の口部に固定するためのホルダに設けられたもの等が用いられ、吐出管先端部の基部側から先端側に向かって吐出管先端部と略平行に延びる平行部と該平行部の先端に略直角に形設された鉤部とからなるもの等が用いられる。
掛止部としては、鉤状部の鉤部が掛止される断面略Ｌ字形状のものや、孔、溝を有するもの等が用いられる。
【００１６】
本考案の請求項６に記載の液体ポンプは、請求項１乃至５の内いずれか１項に記載の液体ポンプであって、前記先端収納部が複数形成された構成を有している。
この構成により、請求項１乃至５の内いずれか１項の作用に加え、以下のような作用を有する。
（１）先端収納部が本体に複数形成されているので、吐出管先端部を収納する先端収納部を使用者が任意に選択することができ、液体容器が壁際等に設置されている場合であっても挿入し易い先端収納部を選択して挿入すればよいので使用性及び利便性に優れる。
【００１７】
本考案の請求項７に記載の液体ポンプは、請求項１乃至６の内いずれか１項に記載の液体ポンプであって、前記先端収納部が前記本体の側面から反対側の側面へ貫通して形成され、貫通した前記先端収納部の両端に前記吐出管先端部が挿入される開口部が形成された構成を有している。
この構成により、請求項１乃至６の内いずれか１項の作用に加え、以下のような作用を有する。
（１）先端収納部が本体の側面から反対側の側面に貫通して形成され、連通した先端収納部の両端部に各々開口部が形成されるので、使用者が吐出管先端部を挿入する開口部を任意に選択できる。
（２）１つの先端収納部の両端部に開口部が２つ形成されるので、本体の内部の空間を有効に利用できる。
【００１８】
【考案の実施の形態】
以下、本考案の実施の形態における液体ポンプについて、以下図面を参照しながら説明する。
（実施の形態１）
図１は本考案の実施の形態１における液体ポンプの液体容器への装着時の一部破断正面図である。
図１において、１は本実施の形態１における液体ポンプ、２は液体容器Ｘの口部Ｙに取り付けキャップ部２ａを介して固定される液体ポンプ１の本体、３は本体２の下部に延設され液体容器Ｘに口部Ｙから挿入された液体汲み上げ管、４は液体汲み上げ管３の下端部に配設されたモータ収納部、５は本体２の側部から延設された蛇腹状の可撓性管で形成された液体吐出管、６は液体吐出管５の先端部に配設され移送先容器Ｚの口部Ａに挿入される吐出管先端部、７は吐出管先端部６を移送先容器Ｚの口部Ａに固定するためのホルダであり、ホルダ７は口部Ａの周面の溝（図示せず）等に掛止される鉤状部８を有する。９は吐出管先端部６に設けられ液面を検知する液面センサ部、１０は本体２の側部から内部に水平方向に延びる孔状に形成された吐出管先端部６を収納する先端収納部、１１は先端収納部１０の開口部、１２は開口部１１の上縁部に本体２の側面から外方へ突設された断面略Ｌ字状の掛止部である。液体ポンプ１としては本体２が液体容器Ｘの口部Ｙに取り付けキャップ部２ａを介して固定された直付け式の液体ポンプが用いられる。
【００１９】
図２（ａ）は吐出管先端部及び残液受け体を先端収納部へ収納する動作を示す要部斜視図であり、図２（ｂ）は吐出管先端部及び残液受け体を先端収納部へ収納した状態を示す要部斜視図であり、図３（ａ）は図２（ｂ）のＡ−Ａ線矢視断面図であり、図３（ｂ）は図３（ａ）のＢ−Ｂ線矢視断面図である。
図中、１３は先端収納部１０に挿入される残液受け体、１４は先端収納部１０に挿入され先端収納部１０の内部の底面上に配設される受け皿部、１５は受け皿部１４の一端部に立設され開口部１１の縁部に当接する蓋部であり、蓋部１５はＵ字形状に形成され、吐出管先端部６が挿入される先端挿入部１６を有している。なお、本実施の形態１においては、蓋部１５としては先端挿入部１６を有していればＵ字形状に限られるものではなく、コ字形状やリング状等であってもよい。１７は受け皿部１４の蓋部１５の反対側の端部に立設された端部壁、１７ａは受け皿部１４上の端部壁１７側の端部に形成された液溜まり部（図３（ａ））、１８は先端収納部１０の内部の底面に残液受け体１３の挿入方向に亘って形成された凹状の溝からなるガイド部である。
【００２０】
図３（ａ）に示すように、受け皿部１４の上面は蓋部１５側から端部壁１７側へ向かって下方に傾斜して形成され、端部壁１７側の端部に残液が溜まる液溜まり部１７ａが形成されている。受け皿部１４の傾斜角度は１°〜５°程度に形成されている。また、先端収納部１０の奥行き方向の長さは吐出管先端部６の挿入部分の長さより長く形成され、先端収納部１０の吐出管先端部６の先端側に空間が形成されている。これにより、端部壁１７側の液溜まり部１７ａに残液を溜めることができ、且つ吐出管先端部６が液溜まり部１７ａに溜まった残液に浸ることがなく、溜まった残液が再び吐出管先端部６の外壁等に付着することを防止できる。
図３（ｂ）に示すように、先端収納部１０は、その底面に凹状のガイド部１８が形成された略矩形状の断面形状に形成されている。先端収納部１０の断面形状としては、略矩形状に限られるものではなく、円形、或いは六角形等の多角形状であってもよい。ガイド部１８は先端収納部１０の内部の底面に残液受け体１３の挿入方向に亘って形成されている。残液受け体１３の受け皿部１４の下面はガイド部１８の凹状の溝に嵌合する凸状に形成され、該凸状の部分が残液受け体１３の長手方向に亘って形成されている。また、受け皿部１４の両側壁部は上方に屈曲又は湾曲した樋状に形成されている。
【００２１】
以上のように構成された本考案の実施の形態１における液体ポンプについて、以下その動作を図面を参照しながら説明する。
図１に示すように、吐出管先端部６を移送先容器Ｚの口部Ａに挿入しホルダ７により固定して液体容器Ｘから移送先容器Ｚへ灯油等の液体の移送を行った後、吐出管先端部６を口部Ａから抜き取る。抜き取った吐出管先端部６を先端収納部１０に収納する場合、まず、図２（ａ）に示すように本体２の先端収納部１０に開口部１１から残液受け体１３を挿入する。このとき、残液受け体１３は受け皿部１４を端部壁１７側から挿入され、ガイド部１８に沿って摺動し蓋部１５が開口部１１の縁部に当接するように装着される。次に、移送先容器Ｚの口部Ａから抜き取った吐出管先端部６を蓋部１５の先端挿入部１６及び開口部１１に挿入して先端収納部１０に水平方向に挿入し収納する。図２（ｂ）に示すように、吐出管先端部６はホルダ７の鉤状部８を掛止部１２に掛止できる位置まで挿入され、鉤状部８が掛止部１２に掛止される。これにより、吐出管先端部６が先端収納部１０に収納され固定される。なお、このとき吐出管先端部６の外壁の液体が付着した部分は全て先端収納部１０の内部に収納される。
吐出管先端部６を先端収納部１０から抜き取る場合は、ホルダ７の鉤状部８を掛止部１２から外し、吐出管先端部６を抜き出す。このとき、残液受け体１３が吐出管先端部６と共に抜き出されないように、蓋部１５を指等で押えながら吐出管先端部６を抜き出すことが好ましい。残液受け体１３は吐出管先端部６を抜き取った後に、ガイド部１８に沿って摺動させて抜き出し、液溜まり部１７ａに溜まった残液を廃棄するか又は液体容器Ｘに戻す。
【００２２】
以上のように、構成された本考案の実施の形態１の液体ポンプによれば、以下のような作用が得られる。
（１）液体容器Ｘから移送先容器Ｙに液体を移送した後、本体２の側部に開口された開口部１１に受け皿部１４を挿入して残液受け体１３を装着し、さらに移送先容器Ｙの口部Ａから外した吐出管先端部６を蓋部１５の先端挿入部１６を介して開口部１１に挿入し、先端収納部１０に収納することができる。
（２）吐出管先端部６を先端収納部１０に収納することができるので、吐出管先端部６への埃やゴミの付着を防止できると共に吐出管先端部６に設けられた液面センサ部９を保護することができる。
（３）先端収納部１０が本体２の側部から内部へ水平方向に形成されているので、先端収納部１０内へ空気中を浮遊する埃やゴミの侵入を防ぐことができる。
（４）吐出管先端部６を移送先容器Ｚの口部Ａから抜き、先端を開口部１１に向け、そのまま水平方向に延びる先端収納部１０に挿入することができるので、装着作業を容易に行うことができ、挿入時に吐出管先端部６の先端側を下に向けることがないので、液体吐出管５の内部の管壁に付着した液体が吐出管先端部６から漏れ出ることがなく、液体吐出管５の内部に残留した残液が流れ出ることがないので、漏れ出た液体で床等を汚すことがなく使用性に優れる。
（５）先端収納部１０が本体２の側部から内部へ水平方向に形成されているので、吐出管先端部６を先端収納部１０に挿入した状態で抜け落ち難く、さらに吐出管先端部６を先端収納部１０に挿入し、吐出管先端部６の基部側に固定されたホルダ７の鉤状部８を開口部１１の上縁部に形設された掛止部１２に掛止することにより吐出管先端部６を先端収納部１０に挿入した状態で確実に固定することができ、吐出管先端部６の抜け落ちを確実に防止できる。
（６）残液受け体１３の受け皿部１４により吐出管先端部６の外周壁や内周壁に付着した液体や吐出管先端部６から漏れ出る残液等を受けることができるので、残液等が先端収納部１０から漏れ出て液体容器Ｘの外壁や床等を汚すことを防止できる。
（７）蓋部１５が先端挿入部１６を有するＵ字形状やリング状等に形成されているので、先端収納部１０に残液受け体１３を装着した状態で蓋部１５の先端挿入部１６に吐出管先端部６を挿入して吐出管先端部６を先端収納部１０に収納することができると共に、開口部１１における吐出管先端部６の周囲の隙間を蓋部１５により塞ぐことができるので、該隙間から先端収納部１０の内部に埃やゴミが侵入することを防止できる。
（８）残液受け体１３が脱着自在に先端収納部１０の内部に装着されるので、溜まった残液を容易に廃棄したり液体容器Ｘに戻したりできると共に、残液受け体１３や先端収納部１０内部の清掃を容易に行うことができる。
（９）先端収納部１０の内周の底壁に残液受け体１３を摺動自在に支持するガイド部１８が形成されているので、残液受け体１３に溜まった残液を廃棄する際等に、残液受け体１３を先端収納部１０から抜き取る場合や残液受け体１３を挿入する場合に残液受け体１３をガイド部１８に沿って摺動させ脱着することができ、溜まった残液を溢すことなく脱着作業をスムーズに行うことができる。また、残液受け体１３をガイド部１８に沿って吐出管先端部６の直下の正しい位置に挿入することができるので、位置がずれることなく正確に取り付けることができる。
【００２３】
（実施の形態２）
図４（ａ）は本実施の形態２における液体ポンプの吐出管先端部及び残液受け体を先端収納部へ収納する動作を示す要部斜視図であり、図４（ｂ）は本実施の形態２における液体ポンプの吐出管先端部及び残液受け体を先端収納部へ収納した状態を示す要部斜視図であり、図５は図４（ｂ）のＣ−Ｃ線矢視断面図であり、図６は本実施の形態２の液体ポンプの吐出管先端部を先端収納部へ収納した状態を示す側面図である。
なお、実施の形態１と同様のものは同じ符号を付けて説明を省略する。
図中、１０ａは本体２の一側面から反対側の側面に貫通して形成された先端収納部、１１ａ，１１ｂは先端収納部１０ａの両端部の本体２の両側部に各々形成された開口部、１２ａ，１２ｂは開口部１１ａ，１１ｂの上縁部に本体２の側面から外方へ突設された断面略Ｌ字状の掛止部、１３ａは先端収納部１０ａの開口部１１ａ又は開口部１１ｂに挿入される残液受け体、１４ａは先端収納部１０ａの内部の底面上に配設される受け皿部、２１は受け皿部１４ａの一端部に立設された蓋部である。
図５において、２２は受け皿部１４ａ上の蓋部２１側の端部に形成された液溜まり部である。図５に示すように、受け皿部１４ａの上面は吐出管先端部６の挿入側から蓋部２１側へ向かって下方に傾斜して形成されている。また、先端収納部１０ａの開口部１１ａから開口部１１ｂまでの長さは吐出管先端部６の挿入部分の長さより長く形成され、先端収納部１０ａの吐出管先端部６の先端側に空間が形成されている。これにより、蓋部２１側の液溜まり部２２に残液を溜めることができ、且つ吐出管先端部６が液溜まり部２２に溜まった残液に浸ることがなく、溜まった残液が再び吐出管先端部６の外壁等に付着し、吐出管先端部６の抜き取り時に液が床面に滴ることを防止できる。
【００２４】
以上のように構成された本実施の形態２における液体ポンプが、実施の形態１の液体ポンプと異なる点は、先端収納部１０ａが本体２の一側面から反対側の側面へ貫通して形成され、連通した先端収納部１０ａの両端に開口部１１ａ，１１ｂが形成されている点、及び、残液受け体１３ａが開口部１１ａ又は開口部１１ｂを塞ぐ板状の蓋部２１を有している点である。これにより、吐出管先端部６を開口部１１ａ，１１ｂのどちらからでも挿入して先端収納部１０ａに収納することができると共に、開口部１１ａ，１１ｂの上縁部には各々掛止部１２ａ，１２ｂが形設されており、ホルダ７の鉤状部８を掛止部１２ａ，１２ｂに掛止して固定することができる。また、吐出管先端部６が挿入される開口部１１ａ，１１ｂの反対側の開口部１１ａ，１１ｂから残液受け体１３ａを挿入することができ、該反対側の開口部１１ａ，１１ｂを蓋部２１により塞ぐことができる。
【００２５】
吐出管先端部６を先端収納部１０に収納する場合、まず、図４（ａ）に示すように、先端収納部１０ａの開口部１１ａに残液受け体１３ａの受け皿部１４を挿入し、次に開口部１１ａの反対側の開口部１１ｂに吐出管先端部６を挿入する。図４（ｂ）に示すように、残液受け体１３ａは先端収納部１０ａに装着され開口部１１ａは蓋部２１により覆われ塞がれる。吐出管先端部６は先端収納部１０ａに挿入された状態でホルダ７の鉤状部８を開口部１１ｂの上縁部に形設された掛止部１２ｂに掛止して固定される。なお、本実施の形態２においては、開口部１１ａに残液受け体１３ａを挿入し、開口部１１ｂに吐出管先端部６を挿入しているが、これに限られるものではなく、開口部１１ｂに残液受け体１３ａを挿入し、開口部１１ａに吐出管先端部６を挿入することもできる。
【００２６】
また、吐出管先端部６を先端収納部１０ａに収納した場合、図６に示すように、液体吐出管５は一端部が本体２の側面に接続され他端部に吐出管先端部６が接続されており、吐出管先端部６は液体吐出管５が接続された本体２の側面の反対側の側面の開口部１１ｂから内部の先端収納部１０ａに挿入されている。このとき、液体吐出管５は中央部が撓んでいるので、液体吐出管５の内部に残留した残液は液体吐出管５の中央部に溜まり、吐出管先端部６側へ流れることがなく、漏れ出た液体で床等を汚すことがない。
【００２７】
以上のように構成された本考案の実施の形態２の液体ポンプによれば、実施の形態１の作用に加え、以下のような作用が得られる。
（１）先端収納部１０ａが本体２の一側面から反対側の側面に貫通して形成され、連通した先端収納部１０ａの両端部に各々開口部１１ａ，１１ｂが形成されているので、使用者が吐出管先端部６を挿入する開口部１１ａ，１１ｂを任意に選択できると共に、１つの先端収納部１０ａの両端部に開口部１１ａ，１１ｂが２つ形成されているので、本体２の内部の空間を有効に利用できる。
（２）吐出管先端部６が挿入される開口部１１ａ，１１ｂの反対側の開口部１１ａ，１１ｂに残液受け部１３ａの受け皿部１４を挿入し蓋部２１により反対側の開口部１１ａ，１１ｂを塞ぐことができるので、先端収納部１０ａの内部に埃やゴミが侵入することを防止できる。
【００２８】
【考案の効果】
本考案の液体ポンプによれば、以下のような有利な効果が得られる。
請求項１に記載の液体ポンプによれば、
（１）吐出管先端部を本体に形成された先端収納部に収納することができるので、吐出管先端部への埃やゴミの付着を防止でき移送先容器内の液体に不純物が混入することがない液体ポンプを提供することができる。
（２）吐出管先端部を本体に形成された先端収納部に収納することができるので、吐出管先端部に設けられた液面センサ部を保護し破損や故障を防ぐことができ耐久性に優れた液体ポンプを提供することができる。
（３）先端収納部を本体に形成しているので、本体の外部に収納ケース等を設ける必要がなく、部品点数を低減させ作業工数を削減し生産性に優れると共に外観を向上させ商品価値を高めることができる液体ポンプを提供することができる。
（４）先端収納部が本体の側部から内部へ水平方向に形成されているので、先端収納部内へ空気中を浮遊する埃やゴミの侵入を防ぐことができると共に、吐出管先端部の装着作業をスムーズに行うことができ操作性に優れた液体ポンプを提供することができる。
（５）挿入時に吐出管先端部を下に向けることがないので、液体吐出管や吐出管先端部の内部の管壁に付着した液体が吐出管先端部から漏れ出ることがなく、液体吐出管や吐出管先端部の内部に残留した残液が流れ出ることがないので、漏れ出た液体で床等を汚すことがなく使用性に優れると共に安全性に優れた液体ポンプを提供することができる。
（６）先端収納部が本体側部から内部へ水平方向に形成されているので、吐出管先端部を先端収納部に挿入した状態で掛止部等を設けなくても抜け落ち難く、確実に収納することができコンパクト性に優れた液体ポンプを提供することができる。
【００２９】
請求項２に記載の液体ポンプによれば、請求項１の効果に加え、
（１）残液受け体により吐出管先端部の外周壁や内周壁に付着した液体や吐出管先端部から漏れ出る残液等を受けることができるので、残液等が先端収納部から漏れ出て液体容器の外壁や床等を汚すことを防止できる使用性及び残液の回収性能に優れた液体ポンプを提供することができる。
（２）残液受け体が脱着自在に先端収納部の内部に装着されるので、溜まった残液を容易に廃棄したり液体容器に戻したりできると共に、残液受け体や先端収納部内部の清掃を容易に行うことができるメンテナンス性に優れた液体ポンプを提供することができる。
【００３０】
請求項３に記載の液体ポンプによれば、請求項２の効果に加え、
（１）受け皿部により吐出管先端部の外周壁や内周壁に付着した液体や吐出管先端部から漏れ出る残液等を確実に受けて回収することができる残液の回収性能に優れた液体ポンプを提供することができる。
（２）蓋部をＵ字形状やリング状等に形成することにより、先端収納部の開口部における吐出管先端部と先端収納部との隙間を蓋部により塞ぐことができるので、該隙間から先端収納部の内部に埃やゴミが侵入することを防止できる液体ポンプを提供することができる。
（３）先端収納部の一端部の開口部から開口部を覆う板状の蓋部を有する残液受け部の受け皿部を挿入し、他端部の開口部から吐出管先端部を挿入することで、蓋部により一端部の開口部が覆われるので、先端収納部の内部に埃やゴミが侵入することを防止できる液体ポンプを提供することができる。
（４）蓋部を有することにより、残液受け体を脱着する場合に蓋部を摘んで抜き取ったり挿入したりすることができる脱着操作性に優れた液体ポンプを提供することができる。
【００３１】
請求項４に記載の液体ポンプによれば、請求項１乃至３の内いずれか１項の効果に加え、
（１）残液受け体に溜まった残液を廃棄する際等に、残液受け体を先端収納部から抜き取る場合や残液受け体を挿入する場合に残液受け体をガイド部に沿って摺動させ脱着することができるので、溜まった残液を溢すことなく脱着作業をスムーズに行うことができる脱着の作業性に優れた液体ポンプを提供することができる。
（２）残液受け体をガイド部に沿って吐出管先端部の下部の正しい位置に挿入することができるので、位置がずれることなく正確に取り付けることができる取り付けの正確性に優れた液体ポンプを提供することができる。
（３）吐出管先端部を先端収納部に挿入或いは抜き取る際に、残液受け体が吐出管先端部の移動に連れて傾いたり外れたりすることを防ぎ、溜まった残液を溢すことがない使用性に優れた液体ポンプを提供することができる。
【００３２】
請求項５に記載の液体ポンプによれば、請求項１乃至４の内いずれか１項の効果に加え、
（１）吐出管先端部を先端収納部に挿入し鉤状部を掛止部に掛止することにより吐出管先端部を先端収納部に挿入した状態で固定することができ、吐出管先端部の抜け落ちを防止でき確実に装着することができる液体ポンプを提供することができる。
【００３３】
請求項６に記載の液体ポンプによれば、請求項１乃至５の内いずれか１項の効果に加え、
（１）先端収納部が本体に複数形成されているので、吐出管先端部を収納する先端収納部を使用者が任意に選択することができ、液体容器が壁際等に設置されている場合であっても挿入し易い先端収納部を選択して挿入すればよい使用性及び利便性に優れた液体ポンプを提供することができる。
【００３４】
請求項７に記載の液体ポンプによれば、請求項１乃至６の内いずれか１項の効果に加え、
（１）先端収納部が本体の側面から反対側の側面に貫通して形成され、連通した先端収納部の両端部に各々開口部が形成されるので、使用者が吐出管先端部を挿入する開口部を任意に選択できる使用性及び利便性に優れた液体ポンプを提供することができる。
（２）１つの先端収納部の両端部に開口部が２つ形成されるので、本体の内部の空間を有効に利用できる液体ポンプを提供することができる。
【図面の簡単な説明】
【図１】実施の形態１における液体ポンプの液体容器への装着時の一部破断正面図
【図２】（ａ）吐出管先端部及び残液受け体を先端収納部へ収納する動作を示す要部斜視図
（ｂ）吐出管先端部及び残液受け体を先端収納部へ収納した状態を示す要部斜視図
【図３】（ａ）図２（ｂ）のＡ−Ａ線矢視断面図
（ｂ）図３（ａ）のＢ−Ｂ線矢視断面図
【図４】（ａ）実施の形態２における液体ポンプの吐出管先端部及び残液受け体を先端収納部へ収納する動作を示す要部斜視図
（ｂ）実施の形態２における液体ポンプの吐出管先端部及び残液受け体を先端収納部へ収納した状態を示す要部斜視図
【図５】図４（ｂ）のＣ−Ｃ線矢視断面図
【図６】実施の形態２の液体ポンプの吐出管先端部を先端収納部へ収納した状態を示す側面図
【符号の説明】
１　液体ポンプ
２　本体
２ａ　取り付けキャップ部
３　液体汲み上げ管
４　モータ収納部
５　液体吐出管
６　吐出管先端部
７　ホルダ
８　鉤状部
９　液面センサ部
１０，１０ａ　先端収納部
１１，１１ａ，１１ｂ　開口部
１２，１２ａ，１２ｂ　掛止部
１３，１３ａ　残液受け体
１４，１４ａ　受け皿部
１５，２１　蓋部
１６　先端挿入部
１７　端部壁
１７ａ　液溜まり部
１８　ガイド部
２２　液溜まり部
Ｘ　液体容器
Ｙ　口部
Ｚ　移送先容器
Ａ　口部
【図１】
0003097757.tif 000003
【図２】
0003097757.tif 000004
【図３】
0003097757.tif 000005
【図４】
0003097757.tif 000006
【図５】
0003097757.tif 000007
【図６】
0003097757.tif 000008